(57)【要約】      （修正有）【課題】通常の検査および手術は、視覚化のための白色光照明を用いて医師により行われる。その白色光画像において、特殊光観察モードでのより精密な検査を必要とする異常を医師が発見した場合、医師は自身の訓練および経験に基づいて適切な特殊光観察モードを選択する。【解決手段】白色光画像上で所定の特徴を有する構造が自動的に検出される画像認識を行うことにより、担当医師を支援することも可能にする。これらの構造の所定の特徴は、豊富な画像資料に基づいて広く知られ、また明確に文書化されており、自動画像評価によって特定することができる。この場合、本発明によれば、特定された構造がより詳細に、より正確に表示される適切な特殊光観察が設定される。医師は、特殊光観察モードを設定するための決定から解放され、何もすることなく特殊光観察が示される。【選択図】図１
2022002701.tif 000002
【特許請求の範囲】
【請求項１】
少なくとも１つのＣＭＯＳイメージセンサ（２６）を有するビデオ内視鏡（２０）と、白色光および少なくとも１つの特殊光を発生するように設計された光源ユニット（３０）と、画像評価ユニット（４０）と、コントロールユニット（５０）と、表示装置（６０）とを備える内視鏡観察システム（１０）を用いた、内視鏡観察法であって、
白色光画像（４２）は、白色光照明の下で前記ビデオ内視鏡（２０）を用いて取得され、少なくとも１つの所定の特徴を有する少なくとも１つの構造（６）の有無を確認するために、前記画像評価ユニット（４０）によりリアルタイムで評価され、
前記画像評価ユニット（４０）が、少なくとも１つの白色光画像（４２）において少なくとも１つの所定の特徴を有する少なくとも１つの構造（６）の存在を検出した場合、前記光源ユニット（３０）が前記少なくとも１つの特殊光を用いて特殊光照明を発生させる特殊光観察モードが設定され、前記特殊光照明の下でビデオストリームの１つまたは複数の画像が取得され、前記白色光画像において検出された前記所定の特徴を備える前記構造（６）を含む、前記白色光画像（４２）の部分領域（４４）を特定することと、前記イメージセンサ（２６）の前記部分領域（４４）のみを読み取ることと、を備える特殊光処理モードにおける画像処理を施され、前記部分領域（４４）から読み取られた前記画像データは、１つの特殊光画像（４６）または複数の特殊光画像（４６）として更に処理される、ことを特徴とする内視鏡観察法。
【請求項２】
前記画像評価ユニット（４０）が前記白色光画像（４２）において少なくとも１つの所定の特徴を有する構造を検出しなかった場合、前記白色光画像（４２）は前記表示装置（６０）を用いて表示されることを特徴とする、請求項１に記載の方法。
【請求項３】
前記１つの特殊光画像（４６）または複数の特殊光画像（４６）は、単独で、または白色光画像（４２）に重ね合わされた１つの合成画像（４８）または複数の合成画像（４８）として、前記表示装置（６０）を用いて表示されることを特徴とする、請求項１または２に記載の方法。
【請求項４】
前記画像評価ユニット（４０）が、前記白色光画像（４２）において少なくとも１つの所定の特徴を有する少なくとも１つの構造（６）の存在を検出した場合、交互の白色光および特殊光照明が前記ビデオ画像シーケンスと同期して発生され、それぞれの場合に、１つの白色光画像（４２）と１つの特殊光画像（４６）から成る１組が処理され、合成画像（４８）に結合されることを特徴とする、請求項１から３のいずれか１項に記載の方法。
【請求項５】
前記ビデオ画像シーケンスおよび前記同期する交互の白色光および特殊光照明は、前記特殊光照明および特殊光画像取得の時間が、前記白色光照明および白色光画像取得の時間より短い時間的リズムで発生することを特徴とする、請求項４に記載の方法。
【請求項６】
前記光源ユニット（３０）は、特殊光として、狭帯域光観察（ＮＢＩ）用の照明、近赤外蛍光観察（ＮＩＲＦ）用の照明、および赤色光観察（ＲＤＩ）用の照明のうちの１つ以上の照明を発生させるように設計され、ＲＤＩ照明は特に出血が検出された場合に発生され、および／またはＮＢＩ照明は腸ポリープが検出された場合に発生されることを特徴とする、請求項１から５のいずれか１項に記載の方法。
【請求項７】
前記画像評価装置（４０）は、前記所定の特徴を有する前記検出された構造（６）に基づいて、利用可能な複数の特殊光モードのうちの１つを選択するように設計されていることを特徴とする、請求項１から６のいずれか１項に記載の方法。
【請求項８】
前記所定の特徴および前記特殊光モードは、事前選択および設定されるか、既に事前選択および設定されていることを特徴とする、請求項１から７のいずれか１項に記載の方法。
【請求項９】
少なくとも１つの所定の特徴を有する前記構造（６）が検出されること、および／または前記構造（６）を含む前記部分領域（４４）が選択されること、および／または人工知能に基づく画像評価アルゴリズムを用いて前記特殊光モードが選択されることを特徴とする、請求項１から８のいずれか１項に記載の方法。
【請求項１０】
前記画像評価アルゴリズムは、少なくとも１つの所定の特徴を有する前記構造（６）を含む白色光画像（４２）を用いて事前訓練された１つ以上の分類ニューラルネットワーク、特にＣＮＮ、に基づくことを特徴とする、請求項９に記載の方法。
【請求項１１】
前記画像評価ユニット（４０）は、対応する構造（６）の有無を確認するために前記特殊光画像（４６）を評価することを特徴とする、請求項１から９のいずれか１項に記載の方法。
【請求項１２】
内視鏡観察システム（１０）であって、少なくとも１つのＣＭＯＳイメージセンサ（２６）を有するビデオ内視鏡（２０）と、白色光および少なくとも１つの特殊光を発生するように設計された光源ユニット（３０）と、画像評価ユニット（４０）と、コントロールユニット（５０）と、表示装置（６０）とを備え、前記コントロールユニット（５０）は、信号伝達のため、前記光源ユニット（３０）、前記ビデオ内視鏡（２０）、および前記画像評価ユニット（４０）に接続され、前記画像評価ユニット（４０）は、信号伝達のため、前記ビデオ内視鏡（２０）に接続されており、前記ビデオ内視鏡（２０）と、前記光源ユニット（３０）と、前記画像評価ユニット（４０）と、前記コントロールユニット（５０）と、前記表示装置（６０）とを有する前記観察システム（１０）は、請求項１から１１のいずれか１項に記載の方法を実行するように設計および構成されていることを特徴とする、内視鏡観察システム（１０）。
【請求項１３】
請求項１２に記載の内視鏡観察システム（１０）のためのプログラムコード手段を備えるソフトウェアプログラム製品であって、前記観察システム（１０）の前記画像評価ユニット（４０）において実行される画像評価プログラムコンポーネントと、前記観察システム（１０）の前記コントロールユニット（５０）において実行される制御プログラムコンポーネントとを備えており、前記画像評価プログラムコンポーネントおよび前記制御プログラムコンポーネントは、前記画像評価ユニット（４０）および前記コントロールユニット（５０）において実行される場合には、請求項１から１１のいずれか１項に記載の方法を実行するように設計されていることを特徴とする、ソフトウェアプログラム製品。
【発明の詳細な説明】
【発明の詳細な説明】
【０００１】
本発明は、内視鏡観察法、内視鏡観察システム、およびソフトウェアプログラム製品に関する。
最新の内視鏡観察システムは、ＲＧＢスペクトル全体を備えた、可視スペクトル（ＶＩＳ）に不可欠な白色光照明を用いる白色光モードに加えて、種々の特殊光観察モードを提供している。このような特殊光観察（ＳＬＩ）モードは、例えば、狭帯域光観察（ＮＢＩ）、近赤外蛍光観察（ＮＩＲＦ）、および赤色光観察（ＲＤＩ）を含む。ＲＤＩは、オリンパステクノロジーが特許権を有する方法であって、米国特許第１０，０３４，６００Ｂ２号および米国特許第９，７７５，４９７号Ｂ２に開示されている。このリストは網羅的なものではない。
【０００２】
近赤外蛍光観察（ＮＩＲＦ）は、血管灌流を分析・評価するため、肝胆道系の組織を確認するため、リンパ節を見つけるため、またはＩＣＧ（インドシアニングリーン）、ＣＹ５．５、ＺＷ８００あるいはＺＷ−１などの外因性造影剤の投与後に尿管を可視化するために用いることができる。赤色光観察（ＲＤＩ）は、動脈の出血源を特定するために用いることができる。狭帯域光観察（ＮＢＩ）は、例えば、ポリープを切除すべきか否かを決定するためにＮＩＣＥ分類１型の腸ポリープとＮＩＣＥ分類２型の腸ポリープとを区別するなど、良性過形成とがん組織またはがんの前駆体とを区別することに役立ち得る。
【０００３】
通常の検査および手術は、視覚化のための白色光照明（ＶＩＳ）を用いて医師により行われる。その白色光画像において、特殊光観察モードでのより精密な検査を必要とする異常を医師が発見した場合、医師は自身の訓練および経験に基づいて適切な特殊光観察モードを選択する。
【０００４】
これを背景に、本発明の目的は、改良された形の内視鏡観察を用いて、検査または手術中に医師を支援することである。
この目的は、少なくとも１つのＣＭＯＳイメージセンサを有するビデオ内視鏡と、白色光および少なくとも１つの特殊光を発生するように設計された光源ユニットと、画像評価ユニットと、コントロールユニットと、表示装置とを備える内視鏡観察システムを用いた、内視鏡観察法により実現され、上記の方法は、白色光画像が、白色光照明の下でビデオ内視鏡を用いて取得され、少なくとも１つの所定の特徴を有する少なくとも１つの構造の有無を確認するために、画像評価ユニットによりリアルタイムで評価され、画像評価ユニットが、少なくとも１つの白色光画像において少なくとも１つの所定の特徴を有する少なくとも１つの構造の存在を検出した場合、光源ユニットが少なくとも１つの特殊光を用いて特殊光照明を発生させる特殊光観察モードが設定され、特殊光観察モードでは、特殊光照明の下でビデオストリームの１つまたは複数の画像が取得されて、白色光画像において検出された所定の特徴を備える構造を含む白色光画像の部分領域を特定することと、イメージセンサのこの部分領域のみを読み取ることと、を備える特殊光処理モードにおける画像処理を施され、部分領域から読み取られた画像データは、１つの特殊光画像または複数の特殊光画像として更に処理される点において、更に発展している。
【０００５】
本発明による方法は、内視鏡ビデオシステム、すなわちビデオ内視鏡または内視鏡用のカメラヘッドの大多数が、ＣＣＤイメージセンサではなくＣＭＯＳイメージセンサを備えているという事実に基づいている。ＣＣＤイメージセンサと違って、多くのＣＭＯＳイメージセンサは「関心領域」（ＲＯＩ）と呼ばれる部分領域における読み取りのみ可能であり、これにより読み取り速度が大幅に速くなる。部分領域は、通常、長方形の領域であり、本発明の文脈においては、妥当な場合、例えば、長方形の長辺の長さの２％から２０％を占める境界を有する構造を完全に含むような寸法の長方形の領域である。例えば、腸ポリープは、通常、画像における上記の画像領域の約１０％から２０％を占める。多くの臨床的状況において、この種のＲＯＩは、上記の画像全体の相当する面積にわたって広がる。そのような場合、例えば１９８０ｘ１０８０ピクセルのＨＤ解像度を有するＣＭＯＳイメージセンサは、例えば対向する頂点が例えば６００／２００および１０６１／６６２といった座標を有する長方形の領域などの、ポリープを含む対応する部分領域において、独占的かつ非常に速やかに読み取りが可能である。結果として生じる、腸ポリープを含むＲＯＩは、４６１ｘ４６２ピクセル（約２１３，０００ピクセル）の大きさを有し、したがって上記のフルＨＤ画像の大きさのほぼ１０分の１に過ぎない。
【０００６】
本発明による方法を用いれば、白色光観察モードでＣＭＯＳイメージセンサの画像データ全体が読み取られるよりも、ＣＭＯＳイメージセンサの部分領域が読み取られ、処理される方が速いため、特殊光観察モードが作動された場合であっても、高い画像リフレッシュレートを得ることが可能である。部分領域が選択されていなければ、白色光画像および特殊光画像の交互シーケンスの場合の画像リフレッシュレートは、例えば５０Ｈｚから２５Ｈｚのように半分になり、白色光画像シーケンスは２５Ｈｚとなり、特殊光画像シーケンスも２５Ｈｚとなるであろう。急速な動きの場合、これによってモーションアーチファクトが生じ得る。
【０００７】
多くの特殊光観察モードはまた、不鮮明である。求められる高い光感度または利得係数のため、かなりの画像ノイズが生じる。ノイズは、露光時間を増やすことまたは連続するフレームを組み合わせることにより、低減させることができる。これらの手段は、部分領域を選択しない通常の時系列観察では非常に限定されるが、特殊光条件下において本発明によって可能なより高い画像リフレッシュレートを、より密接な連続によって特殊光画像の実効露光時間を増やすために用いることができる。
【０００８】
本発明による方法は、白色光画像上で所定の特徴を有する構造が自動的に検出される画像認識を行うことにより、担当医師を支援することも可能にする。そのような構造は、例えば灌流血管、リンパ節、動脈出血または腸ポリープなどであってもよいが、このリストは網羅的なものではない。これらの構造の所定の特徴は、豊富な画像資料に基づいて広く知られ、また明確に文書化されており、自動画像評価によって特定することができる。この場合、本発明によれば、特定された構造がより詳細に、より正確に表示される適切な特殊光観察が設定される。医師は、特殊光観察モードを設定するための決定から解放され、何もすることなく特殊光観察が示される。
【０００９】
進行中の検査は、通常、ビデオストリームとして処理される。本発明による方法は、その進行中のビデオストリームに適用可能であるが、医師が所望する場合は、精密検査および文書作成に用いるため、スナップショット機能を用いてビデオストリームから分離された個々の画像にも適用可能である。
【００１０】
部分領域は画像評価ユニットにおいて選択され、ＣＭＯＳイメージセンサのどの部分領域が読み取られるかについての命令が、画像評価ユニットから直接的に、またはコントロールユニットを介して発せられる。画像評価ユニットは、例えばプログラムまたはプログラムのサブルーチンなどの機能ユニットとして、コントロールユニット内にソフトウェアとして組み込まれてもよい。
【００１１】
様々な検査における正常な状態とは、関連する構造が見当たらないことである。この場合、画像評価ユニットが白色光画像において少なくとも１つの所定の特徴を有する構造を検出しなければ、白色光画像が表示装置を用いて有利に表示される。
【００１２】
実施形態において、１つの特殊光画像または複数の特殊光画像は、単独で、または白色光画像に重ね合わされた１つの合成画像または複数の合成画像として、表示装置を用いて表示される。特殊光画像を単独で表示することは、医師の訓練された観察眼によって容易に解釈可能な、手を加えていない表示であるという利点を有する。上記の構造の位置において、特殊光画像が白色光画像に一致するように重ね合わされた合成画像を表示することは、特殊光画像を周囲の構造にはめ込むという利点を提供する。この種の融合画像または合成画像は、拡張現実画像（ＡＲＩ）と呼ぶことができる。合成画像に関して、特殊光画像は、特殊光画像では見えない白色光画像の下部構造がまだ見えるように、例えば５％から５０％など一定の透明度を有した状態で、または透明度０％から５％の不透明な状態で、白色光画像に重ね合わせることが可能である。
【００１３】
ビデオストリームで表示される合成画像シーケンスを備える実施形態において、画像評価ユニットが、白色光画像において少なくとも１つの所定の特徴を有する少なくとも１つの構造の存在を検出した場合、白色光および特殊光の交互照明がビデオ画像シーケンスと同期して発せられ、それぞれの場合に、１つの白色光画像および１つの特殊光画像から成る１組が処理され、合成画像に結合される。この合成画像ビデオストリームからの個々のフレームはスナップショット機能を用いて取得可能であり、より精密な検査および文書作成に用いることができる。したがって、本特許出願および本発明の範囲において、「特殊光観察モード」の用語は、白色光画像および特殊光画像が交互シーケンスで取得され、更に処理されて結合される場合も含む。
【００１４】
一実施形態において、ビデオ画像シーケンスおよび同期する白色光および特殊光の交互照明は、特殊光照明および特殊光画像取得の持続時間が、白色光照明および白色光画像取得の持続時間より短い時間的リズムで発生する。特殊光画像取得のそれぞれの場合に、ＣＭＯＳイメージセンサの１つの部分領域のみが読み取られ、その部分領域の画像データのみが画像評価ユニット内で更に処理されるため、特に、特殊光画像には構造認識が適用されないため、このことが可能となる。したがって、画像表示の頻度、すなわち個々のフレームの連続を半減させることはもはや不要であり、むしろ純白色光ビデオシーケンスと同様に高い頻度を有する画像シーケンスを実現することが可能であるため、モーションアーチファクトがかなり防止される。これを実行するための１つの可能性は、画像評価ユニットと一体化し得るコントロールユニットにあり、コントロールユニットはビデオ内視鏡内のイメージセンサおよび光源ユニットに、対応して同期する時系列において画像またはサブ画像を取得し、白色光照明および特殊光照明を提供するよう命令する。
【００１５】
実施形態において、光源ユニットは、特殊光として、狭帯域光観察（ＮＢＩ）用の照明、近赤外蛍光観察（ＮＩＲＦ）用の照明、および赤色光観察（ＲＤＩ）用の照明のうちの１つ以上の照明を発生させるように設計され、具体的には、ＲＤＩ照明は出血が検出された場合に発生され、および／またはＮＢＩ照明は腸ポリープが検出された場合に発生される。画像評価装置は、所定の特徴を有する検出された構造に基づいて、利用可能な複数の特殊光モードのうちの１つを選択するように設計されていてもよい。あるいは、所定の特徴および特殊光モードが、事前選択および設定されるか、既に事前選択および設定されていてもよい。このことは、例えば、出血が予想され、検出され、止血される結腸内視鏡検査または手術などにおいて、特定の構造を探す検査の場合に有用であろう。
【００１６】
実施形態において、少なくとも１つの所定の特徴を有する構造が検出され、および／またはその構造を含む部分領域が選択され、および／または人工知能に基づく画像評価アルゴリズムを用いて、特殊光モードが選択される。そのような場合、画像評価アルゴリズムは、具体的にはＣＮＮに基づき、少なくとも１つの所定の特徴を有する構造を含む白色光画像を用いて事前訓練された１つ以上の分類ニューラルネットワークに基づいてもよい。
【００１７】
更に、実施形態において、画像評価ユニットは対応する構造の存在を探すために特殊光画像を評価し、具体的には、構造の存在を確認するか、そうでなければ、再び特殊光観察モードから離脱するよう促す。特殊光観察モードは、関係する構造を非常に高コントラストで、それゆえ明確に認識できるように表示するのに特に適しているため、こうした構造に関する特殊光画像の評価は、対応する構造の存在に関して高い有意性をもたらす。特殊光画像には白色光画像の１つの部分領域しか存在せず、それゆえ評価すべきデータ量が小さいので、対応する画像評価も白色光画像の場合よりも速い。
【００１８】
本発明の目的は、少なくとも１つのＣＭＯＳイメージセンサを有するビデオ内視鏡と、白色光および少なくとも１つの特殊光を発生するように設計された光源ユニットと、画像評価ユニットと、コントロールユニットと、表示装置とを備える内視鏡観察システムによっても実現され、内視鏡観察システムにおいて、コントロールユニットは、信号伝達のため、光源ユニット、ビデオ内視鏡、および画像評価ユニットに接続され、画像評価ユニットは、信号伝達のため、ビデオ内視鏡に接続されており、ビデオ内視鏡と、光源ユニットと、画像評価ユニットと、コントロールユニットと、表示装置とを有する観察システムは、本発明による前述の方法を実行するように設計および構成されている。
【００１９】
本発明による観察システムのビデオ内視鏡は、内視鏡シャフトの遠位領域あるいはハンドルのいずれかにＣＭＯＳセンサを備えてもよく、または内視鏡と、イメージセンサとしてＣＭＯＳセンサを備えるカメラヘッドとの組み合わせとして設計されてもよい。
【００２０】
さらに、本発明の目的は、本発明による内視鏡観察システムのためのプログラムコード手段を備えるソフトウェアプログラム製品によっても実現され、ソフトウェアプログラム製品は、観察システムの画像評価ユニットにおいて実行される画像評価プログラムコンポーネントと、観察システムのコントロールユニットにおいて実行される制御プログラムコンポーネントとを備えており、画像評価プログラムコンポーネントおよび制御プログラムコンポーネントは、画像評価ユニットおよびコントロールユニットにおいて実行される場合には、本発明による前述の方法を実行するように設計されている。
【００２１】
本発明による内視鏡観察システムおよび本発明によるソフトウェアプログラム製品は、本発明による前述の方法に関連し、この方法の利点、特徴、および特性を同様に実現する。
本発明の更なる特徴は、請求項および添付の図面とともに本発明による実施形態の説明から明らかになるであろう。本発明による実施形態は、個々の特徴または複数の特徴の組み合わせを実現し得る。
【００２２】
本発明の範囲において、「特に」または「好ましくは」によって指定された特徴は、任意選択的な特徴であると解される。
本発明は、文中においてより詳細には説明されない本発明による具体的内容の全てに関して図面を明示的に参照する、図面に関連した例示的な実施形態に基づいて、本発明の概念を限定することなく、以下で説明される。
【図面の簡単な説明】
【００２３】
【図１】本発明による内視鏡観察システムの概略図である。
【図２】観察の概念の概略図である。
【図３】本発明による方法のための例示的なフロー図である。
【発明を実施するための形態】
【００２４】
上記の図面において、同一または類似の要素および／または部品には、それぞれ同一の参照符号が与えられているため、再度の紹介は常に省略される。
図１は、本発明による内視鏡観察システム１０の動作状況における概略図である。例えば、腸ポリープ、出血、灌流血管等の所定の特徴を有する構造６が発見される検査が、患者の体２の体腔４において、ビデオ内視鏡２０を用いて行われる。
【００２５】
ビデオ内視鏡２０は、ハンドル２８に接した内視鏡シャフト２２を備え、そのシャフト２２の遠位端には、入射レンズ２４およびここでは図示されていない光学系の後方に、ＣＭＯＳイメージセンサ２６が配置されている。あるいは、ビデオ内視鏡２０は、従来の内視鏡とカメラヘッドとの組み合わせとして設計されてもよい。
【００２６】
ビデオ内視鏡２０は光源ユニット３０に接続されているが、光源ユニット３０はビデオ内視鏡２０の一部であってもよく、あるいは内視鏡観察システム１０の制御装置の一部であってもよい。様々な光源およびフィルタユニットを有する光源ユニット３０は、１つ以上の特殊光照明手順に従って白色光および特殊光を交互に発生させるように設計されており、その光はビデオ内視鏡２０を介して体腔４内に向けられて、検査周辺部を照らす。
【００２７】
観察システム１０は、光源ユニット３０およびビデオ内視鏡２０に接続された画像評価ユニット４０とコントロールユニット５０とを更に備え、また画像評価ユニット４０に接続された表示装置６０も備える。上記の様々な構成要素、特に画像評価ユニット４０およびコントロールユニット５０は、本発明による方法を実行するように設計されている。この目的のために、これらのユニットは、画像評価および制御を行うプログラムコード手段を備えている。
【００２８】
図２は、観察の概念を概略的な形で表している。撮像および画像の取得は、画像評価ユニット４０を用いた評価の対象となる白色光画像４２の取り込みに基づく。この種の白色光画像４２は、例えば、ＨＤ解像度を有してもよく、白色光照明の下で光源ユニット３０から生成される。白色光画像４２が、例えば灌流血管、出血、腸ポリープ等の特徴など所定の特徴を有する構造６を含む場合、画像評価ユニット４０は、構造６を含む白色光画像４２の部分領域４４を特定する。
【００２９】
構造６が検出されたため、特殊光観察用の特殊光照明が次の画像用に設定され、ＣＭＯＳセンサ２６が部分領域４４のみにおいて読み取られる。読み取られた部分領域４４の表示、特に擬似カラー表示が、白色光画像４２上の正確な位置に特殊光画像４６として重ねられ、表示装置６０上において担当医師に対して表示される合成画像４８を作り出す。合成画像４８は、いずれの場合も、白色光画像および特殊光画像のペアが取得されて組み合わされたり、より詳しい検査および文書作成のための個別画像として用いられたりする、特殊光観察モードにおけるビデオストリームの一部であってもよい。好ましくは、特殊光観察モードにおけるビデオストリームの場合、ビデオ内視鏡２０と構造６とが互いに相対移動可能であるため、各白色光画像は分析され、部分領域４４は再決定される。
【００３０】
特定の特殊光観察モードの選択は、例えば、１つのみの特殊光観察モードが関係する結腸内視鏡検査などの特定の検査を行う医師により事前に実行されるか、または画像評価ユニット４０における画像評価アルゴリズムが、発見された構造６に基づいてどの特殊光観察モードを選択するかを決定する。この種の選択アルゴリズムは、例えば、対応する構造とそれぞれ最適な特殊光観察モードとを特定および分類するために、対応する構造を有する以前に取得された白色光画像を用いて訓練されたニューラルネットワークに基づいてもよい。
【００３１】
図３は、本発明による方法の例示的なフロー図である。まず、白色光画像４２の取得（方法ステップ１００）から始まり、次に、所定の特徴を有する構造６の有無を確認するために白色光画像４２が分析される（方法ステップ１０２）。構造６が発見されない場合、白色光画像４２がそのまま表示され（方法ステップ１０４）、新たな白色光画像４２が取得される（方法ステップ１００）。白色光画像４２において構造６が実際に発見された場合、白色光画像４２における構造６の位置する部分領域４４が特定される。続いて、対応する特殊光照明を備える、予め設定された、または適切な特殊光観察モードが設定され（方法ステップ１０６）、設定された特殊光照明の下で画像が取得され、ＣＭＯＳイメージセンサ２６の画像データが部分領域４４内のみで読み取られ、特殊光画像４６として更に処理される（方法ステップ１０８）。そして、特殊光画像４６は白色光画像４２に重ねられて、合成画像４８として表示される（方法ステップ１１０）。このプロセスは、検査が完了するまで、または本発明による検査モードが終了するまで、方法ステップ１００から繰り返される。
【００３２】
図面のみから得られる特徴および他の特徴と組み合わせて開示されている個々の特徴を含む、全ての挙げられた特徴は、単独および組み合わせて本発明に不可欠なものとして考えられる。本発明による実施形態は、個々の特徴または複数の特徴の組み合わせにより実現し得る。
【００３３】
［符号の説明］
２…体、４…体腔、６…構造、１０…内視鏡観察システム、２０…ビデオ内視鏡、２２…内視鏡シャフト、２４…入射レンズ、２６…ＣＭＯＳイメージセンサ、２８…ハンドル、３０…光源ユニット、４０…画像評価ユニット、４２…白色光画像、４４…部分領域、４６…特殊光画像、４８…合成画像、５０…コントロールユニット、６０…表示装置、１００…白色光画像の取得、１０２…白色光画像の分析、１０４…白色光画像の表示、１０６…特殊光観察モードの設定、１０８…特殊光画像の取得、１１０…合成画像の生成および表示
【図１】
2022002701.tif 000003
【図２】
2022002701.tif 000004
【図３】
2022002701.tif 000005
【外国語明細書】
2022002701000001.pdf